(57)【要約】【課題】複数本の端子ピンを備えた雄側コネクタと同数のピン穴を備えた雌側コネクタとの間の着脱を、磁気吸着力を利用して、簡単な操作により行うことができる磁気式ピンコネクタ・セットを提供すること。【解決手段】磁気式ピンコネクタ・セット１は、市販の雄側コネクタ２に取り付ける第１ピンコネクタ１０と市販の雌側コネクタ３に取り付ける第２ピンコネクタ３０を有している。第１、第２ピンコネクタ１０、３０の間は磁気吸着力によって相互に連結可能である。第１ピンコネクタ１０は、両側に第１、第２可動ピン１８、１９を備えた複数組の可動ピンユニット１７を備え、第２ピンコネクタ３０は、複数本の固定ピン３７を備えている。可動ピンユニット１７と固定ピン３７を用いて、既存の多ピンのコネクタに取り付けて、その着脱を容易にでき、電気的な接続も確実に形成できるコネクタ構造を可能である。【選択図】図４
2018129158.tif 000002
【特許請求の範囲】
【請求項１】
第１部材と第２部材の間を電気的に接続するために用いる磁気式ピンコネクタ・セットであって、
前記第１部材の側に取り付けられる第１ピンコネクタ、および、前記第２部材の側に取り付けられる第２ピンコネクタを有しており、
前記第１、第２ピンコネクタは、前記第１ピンコネクタに形成した第１磁気吸着面と前記第２ピンコネクタに形成した第２磁気吸着面との間に生じる磁気吸着力によって、相互に接続可能であり、
前記第１ピンコネクタは、第１コネクタハウジング、および、当該第１コネクタハウジングに組み付けた複数の可動ピンユニットを備えており、
前記可動ピンユニットのそれぞれは、同軸に配列されている第１可動ピンおよび第２可動ピン、ならびに、前記第１可動ピンおよび前記第２可動ピンを相互に離れる方向に付勢しているスプリングを備えた可動ピンユニットを備えており、
前記第１コネクタハウジングの一方の端部には、前記第１可動ピンの先端部分が突出している第１端面が形成されており、
前記第１コネクタハウジングの他方の端部には、前記第２可動ピンの先端部分が突出している前記第１磁気吸着面が形成されており、
前記第２ピンコネクタは、第２コネクタハウジング、および、当該第２コネクタハウジングに組み付けた複数の固定ピンを備えており、
前記第２コネクタハウジングの一方の端部には、前記固定ピンの先端部分が突出している第２端面が形成されており、
前記第２コネクタハウジングの他方の端部には、前記固定ピンの後端に形成したパッド部分が露出している前記第２磁気吸着面が形成されている磁気式ピンコネクタ・セット。
【請求項２】
筒状枠内に複数本の端子ピンを備えた雄側コネクタと、前記筒状枠を差し込み可能な筒状溝に取り囲まれた複数個のピン穴を備えた雌側コネクタとの間を接続するために用いる磁気式ピンコネクタ・セットであって、
前記雄側コネクタに取り付けられる第１ピンコネクタ、および、前記雌側コネクタに取り付けられる第２ピンコネクタを有しており、
前記第１、第２ピンコネクタは、前記第１ピンコネクタに形成した第１磁気吸着面と前記第２ピンコネクタに形成した第２磁気吸着面との間に生じる磁気吸着力によって、相互に接続可能であり、
前記第１ピンコネクタは、
第１端面と、
前記雄側コネクタの前記筒状枠を差し込むことができるように、前記第１端面に形成した第１凹部と、
同軸に配列されている第１可動ピンおよび第２可動ピン、ならびに、前記第１可動ピンおよび前記第２可動ピンを相互に離れる方向に付勢しているスプリングを備えた可動ピンユニットと、
前記第１磁気吸着面に形成した第２凹部と、
を備えており、
前記雄側コネクタの前記端子ピンに対応する数の前記可動ピンユニットが配置され、前記可動ピンユニットのそれぞれにおいて、前記第１可動ピンの先端部分は前記第１凹部の底面から突出し、前記第２可動ピンの先端部分は前記第２凹部の底面から突出しており、
前記第２ピンコネクタは、
第２端面と、
前記雌側コネクタの前記筒状溝に差し込むことができるように、前記第２端面から突出している筒形状の第１突部と、
前記第２凹部に差し込むことができるように、前記第２磁気吸着面に形成した第２突部と、
ピン当接用のパッド部分が後端に形成されている固定ピンと、
を備えており、
前記雌側コネクタの前記ピン穴に対応する数の前記固定ピンが配置され、前記固定ピンのそれぞれの先端部分は、前記雌側コネクタの前記ピン穴に差し込むことができるように、前記第１突部に取り囲まれている前記第２端面の部分から突出しており、前記パッド部分は、前記第２可動ピンが当接できるように、前記第２突部の先端面に露出している磁気式ピンコネクタ・セット。
【請求項３】
請求項２において、
前記第１ピンコネクタの前記第１凹部は、前記雌側コネクタの前記筒状溝と同一形状の凹部であり、
前記第１ピンコネクタの前記第２凹部と前記第２ピンコネクタの前記第２突部は、相補的な形状をしており、
前記第２ピンコネクタの前記第１突部は、前記雄側コネクタの前記筒状枠と同一形状の突部である磁気式ピンコネクタ・セット。
【請求項４】
請求項２において、
前記第１ピンコネクタは、前記第１磁気吸着面に第１磁極面が露出している第１磁石を備え、
前記第２ピンコネクタは、前記第１磁極面に対峙する前記第２磁気吸着面の部位に、前記第１磁極面とは反対極性の第２磁極面が露出している第２磁石を備えている磁気式ピンコネクタ・セット。
【請求項５】
請求項２に記載の磁気式ピンコネクタ・セットに用いる第１ピンコネクタであって、
前記第１凹部が形成されている前記第１端面と、
前記第２凹部が形成されている前記第１磁気吸着面と、
前記第１、第２可動ピンおよび前記スプリングを備えた前記可動ピンユニットと、
を有しており、
前記雄側コネクタの前記端子ピンに対応する数の前記可動ピンユニットが配置され、
前記可動ピンユニットのそれぞれにおいて、前記第１可動ピンの先端部分は前記第１凹部の底面から突出し、前記第２可動ピンの先端部分は前記第２凹部の底面から突出している第１ピンコネクタ。
【請求項６】
請求項２に記載の磁気式ピンコネクタ・セットに用いる第２ピンコネクタであって、
前記第１突部を備えた前記第２端面と、
前記第２突部を備えた前記第２磁気吸着面と、
ピン当接用のパッド部分が後端に形成されている前記固定ピンと、
を有しており、
前記雌側コネクタの前記ピン穴に対応する数の前記固定ピンが配置され、
前記固定ピンのそれぞれの先端部分は、前記第１突部に取り囲まれている前記第２端面の部分から突出しており、
前記パッド部分は、前記第２突部の先端面に露出している第２ピンコネクタ。
【発明の詳細な説明】
【技術分野】
【０００１】
本発明は、雄側コネクタと雌側コネクタとの着脱を簡単に行うことのできるピンコネクタ・セットに関する。特に、電子機器の間で映像信号などを伝送するために用いられている各種の接続規格のコネクタを磁力によってワンタッチで着脱するのに適した磁気式ピンコネクタ・セットに関する。
【背景技術】
【０００２】
コンピュータ用コネクタ、音声・映像用コネクタとして、複数本のピン端子を備えたコネクタが知られている。例えば、接続規格に応じて９ピン、１５ピン、２５ピンなどの異なるピン数のＤ−ｓｕｂコネクタが市販されている。アナログＲＧＢ  Ｄ−Ｓｕｂ１５ピンによる接続規格の場合には、１５本の端子ピンを備えた雄側コネクタ（プラグ）が、接続対象のパソコン、ディスプレイに搭載されている１５本のピン穴を備えた雌側コネクタ（リセプタクル）に差し込み固定される。ＨＤＭＩ（登録商標）用のコネクタ、Ｄ端子、Ｓ端子などの場合においても、複数本の端子ピンを備えた雄側コネクタが同一本数のピン穴を備えた雌側コネクタに差し込み固定される。
【０００３】
雄側コネクタを雌側コネクタに差し込み固定する際には、雄側コネクタにおける端子ピンを取り囲んでいる差し込み側の筒状金具を、雌側コネクタにおけるピン穴を取り囲んでいる筒状溝に差し込む。雄側コネクタが雌側コネクタに対して、位置決めされた状態で機械的な係合力によって連結され、雄側コネクタの各端子ピンが雌側コネクタの各ピン穴に差し込まれて、双方が電気的に接続される。これにより、不用意にコネクタが外れる、外力によってピン穴に差し込まれている端子ピンが変形する等の弊害が防止される。
【０００４】
雄側コネクタと雌側コネクタとの間は、機械的な係合力によって強固に連結されるので、コネクタの着脱を、小さな力で簡単に行うには不便である。コネクタ間の着脱をワンタッチで行うために、特許文献１〜３等において、磁気吸着力を利用したワンタッチ式のコネクタ構造が提案されている。特許文献１では、既存のコネクタの間を、磁気吸着式のコネクタを介して、接続するようにしている。
【先行技術文献】
【特許文献】
【０００５】
【特許文献１】実用新案登録第３１９０４９３号公報
【特許文献２】特開２００８−２６９９４１号公報
【特許文献３】特開２０１５−１２５９６９号公報
【発明の概要】
【発明が解決しようとする課題】
【０００６】
映像信号などを伝送するためのコネクタは、雄側コネクタの多数本の端子ピンを雌側コネクタの多数本のピン穴に位置決めして差し込み固定する形式のコネクタ構造となっている。既設のコネクタの間を、磁気式のコネクタを介して、接続する場合には、多数本の端子ピンとの間の接続、多数個のピン穴との間の接続を確実に形成する必要がある。
【０００７】
本発明の目的は、映像信号等の伝送のために用いられる多数本の端子ピンを備えた雄側コネクタと多数個のピン穴を備えた雌側コネクタとの間の着脱を、磁気吸着力を利用して、簡単な操作により行うことができ、しかも、電気的接続を確実に形成できる磁気式ピンコネクタ・セットを提供することにある。
【課題を解決するための手段】
【０００８】
本発明による、第１部材と第２部材の間を電気的に接続するために用いる磁気式ピンコネクタ・セットは、第１部材の側に取り付けられる第１ピンコネクタ、および、第２部材の側に取り付けられる第２ピンコネクタを有している。第１、第２ピンコネクタは、第１ピンコネクタに形成した第１磁気吸着面と第２ピンコネクタに形成した第２磁気吸着面との間に生じる磁気吸着力によって、相互に接続可能である。第１ピンコネクタは、第１コネクタハウジング、および、当該第１コネクタハウジングに組み付けた複数の可動ピンユニットを備えており、可動ピンユニットのそれぞれは、同軸に配列されている第１可動ピンおよび第２可動ピン、ならびに、第１可動ピンおよび第２可動ピンを相互に離れる方向に付勢しているスプリングを備えた可動ピンユニットを備えている。第１コネクタハウジングの一方の端部には、第１可動ピンの先端部分が突出している第１端面が形成されており、第１コネクタハウジングの他方の端部には、第２可動ピンの先端部分が突出している第１磁気吸着面が形成されている。また、第２ピンコネクタは、第２コネクタハウジング、および、当該第２コネクタハウジングに組み付けた複数の固定ピンを備えており、第２コネクタハウジングの一方の端部には、固定ピンの先端部分が突出している第２端面が形成されており、第２コネクタハウジングの他方の端部には、固定ピンの後端に形成したパッド部分が露出している第２磁気吸着面が形成されている。
【０００９】
本発明の磁気式ピンコネクタ・セットは、筒状枠内に複数本の端子ピンを備えた雄側コネクタと、前記筒状枠を差し込み可能な筒状溝に取り囲まれた複数個のピン穴を備えた雌側コネクタとの間を接続するために用いるのに適している。この場合の本発明による磁気式ピンコネクタ・セットは、雄側コネクタに取り付けられる第１ピンコネクタ、および、雌側コネクタに取り付けられる第２ピンコネクタを有している。第１、第２ピンコネクタは、前記第１ピンコネクタに形成した第１磁気吸着面と前記第２ピンコネクタに形成した第２磁気吸着面との間に生じる磁気吸着力によって、相互に連結可能となっている。
【００１０】
また、第１ピンコネクタは、第１端面と、雄側コネクタの前記筒状枠を差し込むことができるように、第１端面に形成した第１凹部と、同軸に配列されている第１可動ピンおよび第２可動ピン、ならびに、第１可動ピンおよび第２可動ピンを相互に離れる方向に付勢しているスプリングを備えた可動ピンユニットと、第１磁気吸着面に形成した第２凹部とを備えている。雄側コネクタの端子ピンに対応する数の可動ピンユニットが配置され、可動ピンユニットのそれぞれにおいて、第１可動ピンの先端部分は第１凹部の底面から突出し、第２可動ピンの先端部分は第２凹部の底面から突出している。
【００１１】
一方、第２ピンコネクタは、第２端面と、雌側コネクタの筒状溝に差し込むことができるように、第２端面から突出している筒形状の第１突部と、第２凹部に差し込むことができるように、第２磁気吸着面に形成した第２突部と、ピン当接用のパッド部分が後端に形成されている固定ピンとを備えている。また、雌側コネクタのピン穴に対応する数の固定ピンが配置され、固定ピンのそれぞれの先端部分は、雌側コネクタのピン穴に差し込むことができるように、第１突部に取り囲まれている第２端面の部分から突出しており、パッド部分は、第２可動ピンが当接できるように、第２突部の先端面に露出している。
【００１２】
本発明の磁気式ピンコネクタ・セットは、磁力によって連結可能な第１、第２ピンコネクタを備えている。使用にあたっては、第１ピンコネクタを第１部材、例えば、既存の雄側コネクタに取り付け、第２ピンコネクタを第２部材、例えば、既存の雌側コネクタに取り付けておく。
【００１３】
第１ピンコネクタにおける第１端面の第１凹部に、雄側コネクタの筒状枠を位置決めして、当該筒状枠を第１凹部に差し込むことにより、第１ピンコネクタが雄側コネクタに取り付けられる。雄側コネクタの端子ピンのそれぞれに、第１ピンコネクタの第１可動ピンが当接し、当接状態がスプリングの付勢力によって保持されるので、これらの間の電気的な導通状態が確保される。同様に、第２ピンコネクタの第２端面の第１突部を、雌側コネクタの筒状溝に位置決めして、当該筒状溝に差し込むことにより、第２ピンコネクタが雌側コネクタに取り付けられる。第２ピンコネクタの固定ピンのそれぞれが、雌側コネクタのピン穴に差し込まれて、これらの間の電気的な導通状態が確保される。
【００１４】
第１ピンコネクタを取り付けた雄側コネクタを、第２ピンコネクタを取り付けた雌側コネクタに接続する際には、雄側コネクタ側の第１ピンコネクタの第１磁気吸着面の第１凹部を、雌側コネクタ側の第２ピンコネクタの第２磁気吸着面の第２突部に位置決めし、当該第２突部を第１凹部に差し込み可能にする。第１ピンコネクタを第１ピンコネクタに近づけると、磁気吸着力によって第１、第２磁気吸着面が相互に連結される。また、第１ピンコネクタの第２可動ピンが、スプリングの付勢力によって、第２ピンコネクタの固定ピンのパッド部分に対して確実に当接した状態に保持され、これらの間の電気的な導通状態が確保される。
【００１５】
雄側コネクタは、雌側コネクタに対して、第１、第２ピンコネクタの間の磁気吸着力によって連結されている。雄側コネクタを雌側コネクタから切り離す操作も、小さな力で簡単に行うことができる。また、接続状態において、大きな外力が作用した場合には、第１、第２ピンコネクタの間が外れ、雄側コネクタと第１ピンコネクタの間の接続部分、雌側コネクタと第２ピンコネクタの間の接続部分に、大きな力が加わることがない。よって、雄側コネクタの端子ピンの変形、損傷、雌側コネクタのピン穴部分の変形、損傷を回避できる。
【図面の簡単な説明】
【００１６】
【図１】本発明を適用した磁気式ピンコネクタ・セットを用いたコネクタの接続状態を示す説明図、コネクタを外した状態を示す説明図、および、各部品を切り離した状態で示す説明図である。
【図２】磁気式ピンコネクタ・セットの各部の端面を示す説明図である。
【図３】第１ピンコネクタの内部構造を示す部分断面図、および、第２ピンコネクタの内部構造を示す部分断面図である。
【図４】磁気式ピンコネクタ・セットを用いたコネクタの接続前の状態を示す説明図、接続状態を示す説明図、接続状態の内部構造を示す説明図、および、可動ピンのスライド状態を示す説明図である。
【発明を実施するための形態】
【００１７】
以下に、図面を参照して、本発明の実施の形態に係る磁気式ピンコネクタ・セットを説明する。以下の実施の形態は、本発明の磁気式ピンコネクタ・セットを、Ｄ−Ｓｕｂ１５ピンによる接続規格の雄側コネクタおよび雌側コネクタに適用したものである。本発明は、他の接続規格による多ピンのコネクタにも同様に適用可能であり、また、本発明は実施の形態の構造に限定されるものではない。
【００１８】
図１（Ａ）は、本実施の形態に係る磁気式ピンコネクタ・セットを用いたコネクタの接続状態を示す説明図であり、図１（Ｂ）は雄側コネクタを雌側コネクタから外した状態を示す説明図であり、図１（Ｃ）は、各部品を切り離した状態で示す説明図である。図２は雄側コネクタ、雌側コネクタおよび磁気式ピンコネクタ・セットの構成部品の各端面を示す説明図である。
【００１９】
磁気式ピンコネクタ・セット１は、雄側コネクタ２を雌側コネクタ３に接続するために用いられる。雄側コネクタ２は、金属製の筒状枠４内に複数本、本例では１５本の端子ピン５が配列された市販品である。同様に、雌側コネクタ３は、筒状枠４を差し込み可能な筒状溝６に取り囲まれている部分に、端子ピン５を差し込み固定可能な１５個のピン穴７が配列された市販品である。雄側コネクタ２には電気ケーブル８が接続されており、雌側コネクタ３は電子機器９、例えば、パソコン、プロジェクタなどに搭載されている。
【００２０】
磁気式ピンコネクタ・セット１は、雄側コネクタ２に取り付けられる第１ピンコネクタ１０と、雌側コネクタ３に取り付けられる第２ピンコネクタ３０とを備えている。第１ピンコネクタ１０には磁石１１が取り付けられており、第２ピンコネクタ３０には磁石３１が取り付けられている。これらの磁石１１、３１の間に生じる磁気吸引力によって、第１、第２ピンコネクタ１０、３０を相互に連結可能である。また、磁力に逆らって、第１、第２ピンコネクタ１０、３０を切り離すことが可能である。
【００２１】
第１ピンコネクタ１０は、細長い直方体形状をしたプラスチック製のコネクタハウジング１２を備えている。コネクタハウジング１２における対峙する２つの端面のうちの一方が、雄側コネクタ２に取り付けられる第１端面１３であり、他方が、第２ピンコネクタ３０に磁気吸着力によって取り付けられる第１磁気吸着面１４である。磁石１１はコネクタハウジング１２に埋め込まれており、第１磁気吸着面１４からは、その一方の磁極面１１ａが露出している。
【００２２】
第１端面１３には、雄側コネクタ２の筒状枠４を所定の機械的係合力が生じる状態で差し込むことができるように、ほぼ長方形断面の所定深さの第１凹部１５が形成されている。また、第１端面１３における第１凹部１５の両側には、雄側コネクタ２に取り付けられている左右一対の固定用のネジ２ａ、２ｂをねじ込み固定可能なネジ穴２２、２３が形成されている。他方の第１磁気吸着面１４にも、ほぼ長方形断面の所定深さの第２凹部１６が形成されている。
【００２３】
コネクタハウジング１２の内部には、第１端面１３、第１磁気吸着面１４に直交する方向に配列された１５組の導電性の可動ピンユニット１７が組み込まれている。各可動ピンユニット１７は、後述の図３に示すように、同軸に配列されている第１可動ピン１８および第２可動ピン１９、ならびに、第１可動ピン１８および第２可動ピン１９を相互に離れる方向に付勢しているコイルスプリング２０を備えたユニットである。各可動ピンユニット１７において、第１可動ピン１８の先端部分は第１凹部１５の底面から突出し、第２可動ピン１９の先端部分は、反対側の第２凹部１６の底面から突出している。
【００２４】
第２ピンコネクタ３０は、偏平な細長い矩形板形状をしたプラスチック製のコネクタハウジング３２を備えている。コネクタハウジング３２の一方の端面は、第１ピンコネクタ１０の第１磁気吸着面１４と同一形状の第２磁気吸着面３３となっている。第２磁気吸着面３３の反対側の端面は、雌側コネクタ３に接続される第２端面３４である。磁石３１はコネクタハウジング３２に埋め込まれており、第２磁気吸着面３３からは、その一方の磁極面３１ａが露出している。磁極面３１ａは、第１ピンコネクタ１０の側の磁石１１の磁極面１１ａとは反対磁極である。
【００２５】
第２端面３４には、雌側コネクタ３の筒状溝６に差し込むことができるように、筒形状の第１突部が形成されている。本例では、第１突起は、雄側コネクタ２の金属製の筒状枠と同一形状をした金属製の筒状枠３５である。反対側の第２磁気吸着面３３には、第１ピンコネクタ１０の第１磁気吸着面１４の第２凹部１６に差し込み可能なほぼ長方形断面の所定高さの第２突部３６が形成されている。
【００２６】
コネクタハウジング３２の内部には、第２端面３４、第２磁気吸着面３３に直交する方向に配列された１５本の導電性の固定ピン３７が組み付けられている（図３参照）。固定ピン３７のそれぞれのピン先端部分３７ｂは、筒状枠３５に囲まれた第２端面３４の部分から突出している。固定ピン３７は、雌側コネクタ３のピン穴７に差し込み固定可能である。また、各固定ピン３７の後端にはピン当接用のパッド部分３７ｃが形成されている。パッド部分３７ｃは、第１ピンコネクタ１０の第２可動ピン１９が当接できるように、第２突部３６の先端面に露出している。
【００２７】
図３（Ａ）は第１ピンコネクタ１０の内部構造を示す部分断面図であり、図３（Ｂ）は第２ピンコネクタ３０の内部構造を示す部分断面図である。これらの図を参照して、主として、可動ピンユニット１７および固定ピン３７について説明する。
【００２８】
図３（Ａ）に示すように、第１ピンコネクタ１０の各可動ピンユニット１７は、第１可動ピン１８、第２可動ピン１９、コイルスプリング２０および円筒２１を備えている。円筒２１は導電性の金属からなり、コネクタハウジング１２内に装着固定されている。円筒２１の内部には、第１可動ピン１８、コイルスプリング２０および第２可動ピン１９が同軸状態で配列されている。
【００２９】
第１可動ピン１８は、ピン本体部分１８ａと、これよりも僅かに外径の大きなピン後端部分１８ｂとを備えている。ピン本体部分１８ａは、第１端面１３の第１凹部１５の底面から突出している。ピン本体部分１８ａの先端面１８ｃは、雄側コネクタ２の端子ピン５の先端面に面接触可能な平坦面となっている。ピン後端部分１８ｂは、円筒２１内に保持され、当該円筒２１内を軸線方向にスライド可能である。ピン後端部分１８ｂの後端面は軸線方向に直交する面に対して僅かに傾斜したバネ受け面１８ｄとなっている。
【００３０】
他方の第２可動ピン１９は、ピン本体部分１９ａと、これよりも僅かに外径の大きなピン後端部分１９ｂとを備えている。ピン本体部分１９ａは、第１磁気吸着面１４の第２凹部１６の底面から突出している。ピン本体部分１９ａの先端面１９ｃは、第２ピンコネクタ３０の固定ピン３７のパッド部分３７ｃに当接可能な球状面となっている。ピン後端部分１９ｂは、円筒２１内に保持され、当該円筒２１内を軸線方向にスライド可能である。ピン後端部分１９ｂの後端面は、第１可動ピン１８の側のバネ受け面１８ｄと平行なバネ受け面１９ｄとなっている。
【００３１】
コイルスプリング２０は、第１、第２可動ピン１８、１９のバネ受け面１８ｄ、１９ｄの間に、圧縮状態で挿入されている。第１、第２可動ピン１８、１９は、初期状態では、円筒２１の両端開口縁部に押しつけられた突出状態にある。
【００３２】
次に、図３（Ｂ）を参照して説明すると、第２ピンコネクタ３０の各固定ピン３７は、コネクタハウジング３２内に装着固定されているピン本体部分３７ａ、第２端面３４から突出しているピン先端部分３７ｂ、および、第２磁気吸着面３３の第２突部３６の先端面に露出しているパッド部分３７ｃとを備えている。ピン先端部分３７ｂは、雄側コネクタ２の端子ピン５の先端部分の形状と同一であり、雌側コネクタ３のピン穴７に差し込むことにより、雌側コネクタ３に電気的に接続される。
【００３３】
（使用方法）
図４を参照して、磁気式ピンコネクタ・セット１の使用方法を説明する。図４（Ａ）は磁気式ピンコネクタ・セット１の第１、第２ピンコネクタ１０、３０をそれぞれ雄側コネクタ２、雌側コネクタ３に取り付けた状態を示す説明図であり、図４（Ｂ）は接続状態を示す説明図であり、図４（Ｃ）は接続状態の内部構造を示す説明図であり、図４（Ｄ）は第１、第２可動ピン１８、１９のスライド状態を示す説明図である。
【００３４】
図４（Ａ）に示すように、最初に、第１ピンコネクタ１０を雄側コネクタ２に取り付け、第２ピンコネクタ３０を雌側コネクタ３に取り付けておく。第１ピンコネクタ１０の第１端面１３に形成されている第１凹部１５に、雄側コネクタ２の金属製の筒状枠４を位置決めして差し込む（図２参照）。同様に、雌側コネクタ３の筒状溝６に、第２ピンコネクタ３０の金属製の筒状枠３５を位置決めして差し込む（図２参照）。
【００３５】
これにより、雄側コネクタ２に第１ピンコネクタ１０が機械的な係合力によって固定される。また、図４（Ｄ）に示すように、雄側コネクタ２の各端子ピン５が、第１ピンコネクタ１０の各可動ピンユニット１７の第１可動ピン１８を、所定量だけ押し込み、この状態で、第１可動ピン１８に当接する。雄側コネクタ２の各端子ピン５が第１ピンコネクタ１０の各可動ピンユニット１７に電気的に導通する。
【００３６】
また、第２ピンコネクタ３０が雌側コネクタ３に対して機械的な係合力によって固定される。図４（Ｃ）に示すように、第２ピンコネクタ３０の各固定ピン３７のピン先端部分３７ｂが雌側コネクタ３のピン穴７に差し込まれて、各固定ピン３７が雌側コネクタ３の各ピン穴内の接続端子（図示せず）に電気的に導通する。
【００３７】
第１ピンコネクタ１０は雄側コネクタ２に取り付けたままとし、第２ピンコネクタ３０は雌側コネクタ３に取り付けたままとしておく。
【００３８】
雄側コネクタ２を雌側コネクタ３に接続する際には、第１ピンコネクタ１０の第１磁気吸着面１４を第２ピンコネクタ３０の第２磁気吸着面３３に近づけて、第１磁気吸着面１４の第２凹部１６を第２磁気吸着面３３の第２突部３６に位置決めする。図４（Ｂ）に示すように、磁石１１、３１の間の磁気吸着力によって、第１、第２ピンコネクタ１０、３０が相互に吸着されて連結される。また、図４（Ｄ）に示すように、第１ピンコネクタ１０の側の第２可動ピン１９が、第２ピンコネクタ３０の側の固定ピン３７のパッド部分３７ｃの後端面によって押し込まれて、これらの間が電気的に導通する。
【００３９】
この結果、雄側コネクタ２が雌側コネクタ３に電気的に接続される。すなわち、図４（Ｃ）に示すように、雄側コネクタ２が、磁気式ピンコネクタ・セット１（第１、第２ピンコネクタ１０、３０）を介して、雌側コネクタ３に接続された状態になる。
【００４０】
雄側コネクタ２を切り離す場合には、雄側コネクタ２を持って引くと、磁気吸着力による第１、第２ピンコネクタ１０、３０の間の連結が解除され、第１ピンコネクタ１０が雌側コネクタ３の側の第２ピンコネクタ３０から切り離される。接続時に、雄側コネクタ２を直接に、雌側コネクタ３に対して位置決めして力を加えて差し込む操作が不要になり、取り外し時にも力を加えて雄側コネクタ２を引き抜く操作が不要になる。よって、ワンタッチ操作で簡単に雄側コネクタ２を雌側コネクタ３に対して着脱できる。また、接続状態において、不用意に雄側コネクタ２などに大きな力が加わると、第２ピンコネクタ３０に磁気吸着している第１ピンコネクタ１０が外れるので、端子ピンなどの部分に大きな力が加わって、変形、損傷などの弊害が発生することもない。
【００４１】
（その他の実施の形態）
上記の実施の形態は、本発明を、映像信号などを伝送するためのコネクタに適用したものである。本発明は、その他の各種の既存の雄側コネクタと雌側コネクタの間を接続するために用いることができる。また、コネクタに限らず、電気的に接続される２つの部材（第１、第２部材）の一方に第１ピンコネクタを取り付け、他方の部材に第２ピンコネクタを取り付ければ、これらの部材の間の接続、切断を簡単に行うことができる。
【符号の説明】
【００４２】
１    磁気式ピンコネクタ・セット
２    雄側コネクタ
２ａ  ネジ
２ｂ  ネジ
３    雌側コネクタ
４    筒状枠
５    端子ピン
６    筒状溝
７    ピン穴
８    電気ケーブル
９    電子機器
１０  第１ピンコネクタ
１１  磁石
１１ａ  磁極面
１２  コネクタハウジング
１３  第１端面
１４  第１磁気吸着面
１５  第１凹部
１６  第２凹部
１７  可動ピンユニット
１８  第１可動ピン
１８ａ  ピン本体部分
１８ｂ  ピン後端部分
１８ｃ  先端面
１８ｄ  バネ受け面
１９  第２可動ピン
１９ａ  ピン本体部分
１９ｂ  ピン後端部分
１９ｃ  先端面
１９ｄ  バネ受け面
２０  コイルスプリング
２１  円筒
２２  ネジ穴
２３  ネジ穴
３０  第２ピンコネクタ
３１  磁石
３１ａ  磁極面
３２  コネクタハウジング
３３  第２磁気吸着面
３４  第２端面
３５  筒状枠
３６  第２突部
３７  固定ピン
３７ａ  ピン本体部分
３７ｂ  ピン先端部分
３７ｃ  パッド部分
【図１】
2018129158.tif 000003
【図２】
2018129158.tif 000004
【図３】
2018129158.tif 000005
【図４】
2018129158.tif 000006